(57)【要約】【課題】石英ガラス製の発光管とその両端に連設された側管とを備え、前記発光管内に一対の電極が対向配置され、該電極の芯線が前記側管の端部で封止されるとともに、該側管内で保持用筒体に挿通され支持されてなるショートアーク型放電ランプにおいて、ランプ製造時に、保持用筒体の外周面に巻き付ける金属箔がずれてしまうことがなく、側管と保持用筒体の間の適正な位置に配置することができる構造を提供することである。【解決手段】前記保持用筒体には、軸方向にスリットが設けられており、前記金属箔の端部が前記スリットに折り込まれて前記保持用筒体の外周面に巻き付けられていることを特徴とする。【選択図】  図１
2020091941.tif 000002
【特許請求の範囲】
【請求項１】
石英ガラス製の発光管とその両端に連設された側管とを備え、前記発光管内に一対の電極が対向配置され、該電極の芯線が前記側管の端部で封止されるとともに、該側管内で保持用筒体に挿通されて支持され、該保持用筒体の外周面には金属箔が巻き付けられているショートアーク型放電ランプにおいて、
前記保持用筒体には、軸方向にスリットが設けられており、前記金属箔の端部が前記スリットに折り込まれて前記保持用筒体の外周面に巻き付けられていることを特徴とするショートアーク型放電ランプ。
【請求項２】
前記スリットは、前記保持用筒体の全長にわたり形成されていることを特徴とする請求項１に記載のショートアーク型放電ランプ。
【請求項３】
前記金属箔は、前記保持用筒体の内周面にまで延在していることを特徴とする請求項１または２に記載のショートアーク型放電ランプ。
【発明の詳細な説明】
【技術分野】
【０００１】
この発明は、投射型プロジェクタ装置、映写機あるいは一般照明用などのショートアーク型放電ランプに関するものであり、特に、電極芯線を保持用筒体によって支持する構造のショートアーク型放電ランプに係わるものである。
【背景技術】
【０００２】
現在、上記用途のショートアーク型放電ランプとして、キセノンガス（Ｘｅガス）の励起によって発光するショートアーク型放電ランプ（キセノンランプ）が用いられていて、最近では、プロジェクタ等のランプにおいては投射映像の明るさをより明るくすることが強く要求されるようになった。このため、ランプに投入する電力を大きくする、あるいは、封入するキセノンガスなどの発光ガスのガス量を多くする傾向にあり、従って、最近のショートアーク型放電ランプは、点灯中の発光管内のガス圧が極めて高くなっている。
【０００３】
このようなショートアーク型放電ランプでは、発光管に連設された側管内に保持用筒体を設け、これを側管の絞り込み部によって固定し、陰極および陽極の電極芯棒を該保持用筒体に挿通して支持することが行われている。
その構造の一例が、特開平１１−１３５０６７号公報（特許文献１）に示されている。
図６にその構造が示されており、石英ガラス製の発光管１０内に陰極２１と陽極２２が対向配置され、その電極芯線２３、２３が発光管１０に連設された側管１１、１１の端部の封止部１３、１３によって封止されている。
【０００４】
そして、図７に詳細が示されるように、側管１１、１１内には石英ガラス製の保持用筒体３０、３０が設けられていて、前記電極芯線２３、２３が、この保持用筒体３０、３０に挿通されて支持されている。
この保持用筒体３０は、側管１１の発光管１０側の端部を加熱縮径して絞り込み部１２を形成することで側管１１内に保持されている。
【０００５】
この特許文献１においては、保持用筒体３０と絞り込み部１２との間に金属箔（モリブデン箔）４０を設けることで、保持用筒体３０は、絞り込み部１２に溶着により一体化されることなく固定されている。
このように、金属箔４０を介在させることにより、保持用筒体３０と絞り込み部１２は溶着によって一体化することがないので、ランプ圧力による応力が発生しても、両者のそれぞれの部材にクラックが入ることがなく、特に応力が集中しやすい保持用筒体３０と絞り込み部１２の端部のコーナー部においても、ランプが破壊することがないものとしている。
【０００６】
上記従来技術における保持用筒体３０と金属箔４０は、図８（Ａ）（Ｂ）に示すように、保持用筒体３０の外周面に、平面状の金属箔４０を巻き付けるものである。
ランプ製造時には電極、電極芯線および保持用筒体からなる電極マウントの組み立て工程で、電極芯線を石英ガラスからなる保持用筒体に挿通し、この保持用筒体を側管の所定の位置に挿入することが行われている。
上記従来技術では、このとき、保持用筒体の外周面に金属箔（Ｍｏ箔）を単に巻き付けているものであり、組み立て時に、金属箔の弾性により箔が緩み、所定の位置からずれてしまうことがあるという不具合があった。
これにより、金属箔が側管と保持用筒体の間の適正な位置に維持されにくいという問題があった。
【先行技術文献】
【特許文献】
【０００７】
【特許文献１】特開平１１−１３５０６７号公報
【発明の概要】
【発明が解決しようとする課題】
【０００８】
以上のような従来技術の問題点に鑑みて、本発明の課題は、側管内で保持用筒体により電極芯線を支持してなるショートアーク型放電ランプにおいて、ランプ製造時に、保持用筒体の外周面に巻き付けた金属箔がずれてしまうことがなく、側管と保持用筒体の間の適正な位置に配置することができる構造を提供することである。
【課題を解決するための手段】
【０００９】
上記課題を解決するために、本発明に係るショートアーク型放電ランプは、前記保持用筒体には、軸方向にスリットが設けられており、金属箔の端部が前記スリットに折り込まれて前記保持用筒体の外周面に巻き付けられていることを特徴とする。
また、前記スリットは、前記保持用筒体の全長にわたり形成されていることを特徴とする。
また、前記金属箔は、前記保持用筒体の内周面にまで延在していることを特徴とする。
【発明の効果】
【００１０】
本発明のショートアーク型放電ランプによれば、保持用筒体に設けられた軸方向のスリットに金属箔の一端が折り込まれて保持用筒体の外周面に巻き付けられているので、ランプ製造時に電極マウントを側管内に挿入配置する時に、金属箔が位置ずれを起こすことを防止でき、該金属箔を保持用筒体と側管の間の適正な位置に配置できるという効果を奏するものである。
また、前記スリットを保持用筒体の全長にわたって形成することにより、該スリットを介して発光管の内部空間と側管の後方内部空間とが連通されるので、ランプ製作時に、発光管もしくは側管に設けられたチップ管によりランプの内部空間の不純ガスを排気処理する際に、これらの両空間内の不純ガスを効果的に排気することができ、かつ排気処理後にキセノンガスを精度よく発光管内部に封入することができる。
また、前記金属箔を前記保持用筒体の内周面にまで延在させた構成とすることで、電極芯線と保持用筒体の内周面間に金属箔が介在することになり、ランプ製造時において、側管を加熱縮径する際に、保持用筒体が軟化溶融することがあっても、保持用筒体と電極芯線とが溶着してしまうことがない。
【図面の簡単な説明】
【００１１】
【図１】本発明のショートアーク型放電ランプにおける保持用筒体と金属箔の斜視図
【図２】保持用筒体に金属箔を巻き付ける際の説明斜視図
【図３】金属箔が保持用筒体に巻き付けられた状態の斜視図（Ａ）と側面図（Ｂ）
【図４】他の実施例の保持用筒体
【図５】更に他の実施例の金属箔と保持用筒体
【図６】従来（本発明の対象）のショートアーク型放電ランプの全体図
【図７】図６の要部の拡大断面図
【図８】従来の保持用筒体と金属箔
【発明を実施するための形態】
【００１２】
図１は、本願発明のショートアーク型放電ランプにおける保持用筒体１の斜視図（Ａ）と金属箔３の斜視図（Ｂ）であり、石英ガラスからなる保持用筒体１には、軸方向にスリット２が形成されている。このスリット２は、保持用筒体１の外周面１ａから内周面に１ｂに及んでいる。
この実施例では、スリット２は保持用筒体１の全長にわたって軸方向に形成されている。この保持用筒体１の寸法は、例えば、外径φ８．０ｍｍ、肉厚１．７ｍｍ、長さ９．０ｍｍ、そして、スリット２の幅は、３．０ｍｍ（外径の１２％）である。
一方、Ｍｏ箔などからなる金属箔３はその一端３ａが折り曲げられていて、図２に示すように、この一端３ａがスリット２に折り込まれている。
そして、金属箔３は保持用筒体１の外周面１ａに巻き付けられている。
【００１３】
図３に示すように、保持用筒体１の外周面１ａに巻き付けられ金属箔３の他端部３ｂもスリット２に折り込まれている。
こうすることで、金属箔３は保持用筒体１の外周面１ａに巻き付けられ、その端部３ａ、３ｂがスリット２に折り込まれる。
【００１４】
図４に他の実施例が示されていて、保持用筒体１に設けられるスリット２は、必ずしも保持用筒体１の全長にわたって形成されている必要はなく、この実施例では、スリット２は保持用筒体１の軸方向の一部に形成されている。このスリット２の軸方向長さは、ここに折り込まれて巻き付けられる金属箔がずれることなく、その巻き付け位置が維持されるに足る長さであればよい。
【００１５】
また、図５に金属箔３の他の実施例が示されていて、この実施例では、保持用筒体１の外周面に巻き付けられた金属箔３は、保持用筒体１の内周面１ｂにまで延在させたものである。
これにより、保持用筒体１の中に挿入される電極芯線と、保持用筒体１の内周面１ｂとの間に金属箔３が存在することになり、ランプ製造時に保持用筒体１が電極芯線に溶着することがなくなる。
【００１６】
以上説明したように、本発明のショートアーク型放電ランプでは、側管内に保持する保持用筒体に軸方向のスリットを形成し、このスリットに端部が折り込まれた金属箔を保持用筒体の外周面に巻き付けたことにより、ランプ製造時に金属箔がずれてしまうことが防止され、金属箔が保持用筒体と側管の間で適正な位置に配置されるものである。
また、スリットを保持用筒体の全長にわたって形成することで、発光管内部空間と側管内部空間とが連通されるので、ランプ製作時に、チップ管により内部空間の不純ガスを排気処理する際に、これらの両空間内の不純ガスを効果的に排気することができ、かつ排気処理後にキセノンガスを精度よく発光管内部に封入することができる。
【符号の説明】
【００１７】
１  ：保持用筒体
１ａ：外周面
１ｂ：内周面
２  ：スリット
３  ：金属箔
３ａ：折り込まれる端部
３ｂ：折り込まれる他端部
【図１】
2020091941.tif 000003
【図２】
2020091941.tif 000004
【図３】
2020091941.tif 000005
【図４】
2020091941.tif 000006
【図５】
2020091941.tif 000007
【図６】
2020091941.tif 000008
【図７】
2020091941.tif 000009
【図８】
2020091941.tif 000010